(57)【要約】 【課題】  椀体内における流入水の衝突抵抗及び排水管に対する流出水の衝突抵抗が小さく、しかも流水速度が減速せず、スムーズな排水を実現し得ると共に、排水効率が良く排水量の大きい排水トラップを提供する。【解決手段】  据付け本体３の下部にシューター２を内嵌した椀体１を取付け、この椀体１を排水管４に内嵌したものであって、椀体１の椀体底１１に配備され、シューター２から流下する流入水Ｍを互いに逆向きの下降傾斜曲面部１５、１５ａで逆向きの水流に分岐し、この分岐水Ｍ１、Ｍ２をそれぞれ椀体１とシューター２との嵌合間に配備する異なる専用排水路Ａ、Ｂへ導水する排水抵抗抑制手段１２と、椀体１上部の排水用窓孔１６、１６ａに対応するシューター２上部に配備され、各専用排水路Ａ、Ｂを上昇する分岐水Ｍ１、Ｍ２をそれぞれ椀体１の周回方向へ導水して排水用窓孔１６、１６ａから排水管４へ排水する導水樋手段２４とを備えて成る排水トラップ。【選択図】          図１
2011089343.tif 000002
【特許請求の範囲】
【請求項１】
据付け本体の下部にシューターを内嵌した椀体を取付け、この椀体を排水管に内嵌したものであって、椀体の椀体底に配備され、シューターから流下する流入水を互いに逆向きの下降傾斜曲面部で逆向きの水流に分岐し、この分岐水をそれぞれ椀体とシューターとの嵌合間に配備する異なる専用排水路へ導水する排水抵抗抑制手段と、椀体上部の排水用窓孔に対応するシューター上部に配備され、各専用排水路を上昇する分岐水をそれぞれ椀体の周回方向へ導水して排水用窓孔から排水管へ排水する導水樋手段とから成る排水トラップ。
【請求項２】
前記排水抵抗抑制手段は、ドーム状の椀体底の面内に、それぞれ食い違い位置に設けた二つの上げ底部と、各上げ底部に連続する下降傾斜曲面部と、下降傾斜曲面部に連続する椀底部とからなり、互いに逆向きに下降傾斜する下降傾斜曲面部は、シューターの角筒部の下端開口面に対応位置していることを特徴とする請求項１記載の排水トラップ。
【請求項３】
前記導水樋手段は、排水用窓孔方向へ出っ張り状に湾曲面が張り出す溝状の樋で、竪樋部と竪樋部に連続するコーナー湾曲樋部と、コーナー湾曲樋部に連続する横樋部とから成ることを特徴とする請求項１記載の排水トラップ。
【請求項４】
前記竪樋部及びコーナー湾曲樋部は、排水用窓孔の一端部側に対応し、専用排水路の幅が上方へ向けて狭くなるように上方向へ張り出し状に配備され、前記横樋部は排水用窓孔の上辺に対応して設けられ、排水用窓孔の他端側へ向けて上昇傾斜する勾配状に配備されていることを特徴とする請求項１又は請求項３記載の排水トラップ。
【発明の詳細な説明】
【技術分野】
【０００１】
この発明は、排水トラップに関する。
【背景技術】
【０００２】
図８は、従来の排水トラップを示している。この排水トラップは、円板状基板７１の上部にエルボ７２を備え、下部に円筒状シューター７４を内嵌した円筒状椀体７３を備えている。
【０００３】
この円筒状椀体７３は、円板状基板７１に上端部が取付けられる排水管７５に内嵌している。円筒状椀体７３とシューター７４との嵌合間には、一周状の排水路７７が設けられ、円筒状椀体７３の上周部には排水管７５に連通する排水用窓孔７８が複数設けられている。
【０００４】
図８で示すように、例えば洗濯機の排水ホースからエルボ７２に流入する流水Ｍ（矢印）は、シューター７４を経て円筒状椀体７３へ流入し、椀底７６から一周状の排水路７７を上昇し、排水用窓孔７８から排水管７５へ排水される。
【特許文献１】特開平９−２０９４３１号公報
【発明の開示】
【発明が解決しようとする課題】
【０００５】
上記排水トラップでは、図８で示すように、椀体７３に対し真っ直ぐに流下してくる流水Ｍは、ほぼ水平状の椀底７６に垂直状に衝突した後、一周状の排水路７７を上昇して排水用窓孔７８より排水管７５の内壁に対しほぼ直交状に衝突する。
【０００６】
このように、流水Ｍと椀体底７６壁及び排水管７５との衝突により、水流に大きな衝撃圧が作用し、排水抵抗が増大する許かりでなく流水速度が減速する結果、排水量が減少するなど極めて排水効率が悪い不利があった。
【０００７】
この発明は、以上のような課題を解消させ、椀体内における流入水の衝突抵抗
および排水管に対する流出水の衝突抵抗がいずれも小さく、しかも流水速度が減
速せず、スムーズな排水を実現し得ると共に、排水効率が良く排水量の大きい排
水トラップを提供することを目的とする。
【課題を解決するための手段】
【０００８】
この目的を達成させるために、この発明の排水トラップでは、次のような構成としている。
排水トラップは、据付け本体の下部にシューターを内嵌した椀体を取付け、この椀体を排水管に内嵌したものであって、椀体の椀体底に配備され、シューターから流下する流入水を互に逆向きの下降傾斜曲面部で逆向きの水流に分岐し、この分岐水をそれぞれ椀体とシューターとの嵌合間に配備する異なる専用排水路へ導水する排水抵抗抑制手段と、椀体上部の排水用窓孔に対応するシューター上部に配備され、各専用排水路を上昇する分岐水をそれぞれ椀体周回方向へ導水して排水用窓孔から排水管へ排水する導水樋手段とから成ることを特徴としている。
【発明の効果】
【０００９】
このような構成を有する排水トラップでは、椀体底に排水抵抗抑制手段を配備して、シューターから流下する流入水を互に逆向きの下降傾斜曲面部で逆向きの水流に分岐し、この分岐水を椀体とシューターとの嵌合間に配備する異なる専用排水路へ導水することとしたから、椀体底に垂直状に降下する流入水は下降傾斜曲面部で受け流され、且つそれぞれ専用の排水路へ導かれるから排水抵抗が抑制される。
【００１０】
更に、椀体上部の排水用窓孔に対応するシューター上部に導水樋手段を配備したから、分岐水はそれぞれ専用排水路に連通する排水用窓孔位置において導水樋手段によって椀体周回方向へ導水される。従って、排水管に対し排水管内壁に沿う方向へスムーズに排水される結果、排水抵抗が抑制される。かくして、流水の流入出時の水流抵抗が小さく排水減速が生じない許かりでなく、排水量も多く排水効率が向上する等、発明目的を達成した優れた効果を有する。
【発明を実施するための最良の形態】
【００１１】
以下、図面に基づき本発明に係る排水トラップの具体的な実施の形態を説明する。
図１は、排水トラップを示す分解斜視図、図２は排水トラップの斜視図である。
排水トラップは、床面５に据付けられる据付け本体３と、据付け本体３の下部に取り付けられる排水抵抗抑制手段１２を備える椀体１と、椀体１に内嵌され導水樋手段２４を備えるシューター２とから成る。
【００１２】
据付け本体３は、図１及び図４で示すように、床面５の上面にビス固定される鍔板状円板３１と、この鍔板状円板３１の上面に取り付けられるエルボ３２と、エルボ３２の外周面を包み込むカバー体３３と、カバー体３３を鍔板状円板３１に固定する固定用リング３４とから成る。
【００１３】
上記鍔板状円板３１は、面内に円孔３１ｂを開口し、円孔３１ｂに連通する短筒部３１ａを垂下すると共に、外周縁に複数の係合溝部３１ｃを設けている。短筒部３１ａは、図４で示すように床面５の排水孔５１に嵌入し、且つ同じく排水孔５１に嵌入して鍔板状円板３１に固定される排水管４の上周部４２に内嵌する。
【００１４】
前記エルボ３２は、垂直状筒部３２ｂの下部に鍔板状フランジ部３２ｃを周設している。垂直状筒部３２ｂの突出筒口３２ｄが、上記短筒部３１ａに内嵌した状態で、鍔板状フランジ部３２ｃが上記鍔板状円板３１に重合している。
【００１５】
上記カバー体３３は、前面に筒口３３ｂを備えるドーム状覆い部３３ｃの下周部に、円板状鍔板３３ａを周設している。上記エルボ３２の水平状筒部３２ａの先端部を筒口３３ｂより突出させた状態でドーム状覆い部３３ｃがエルボ３２外周面を包み込む。この状態で、円板状鍔板３３ａが上記鍔板状円板３１の面内に重合する。
【００１６】
前記固定用リング３４は、カバー体（円板状鍔板３３ａ）３３の外周縁に被さるリング体で、下周部に設けた複数の係合突子３４ａが上記鍔板状円板３１の係合溝部３１ｃにスライド係合して据付け本体３が一体に固定される。
【００１７】
前記椀体１は、ドーム状（半球状）の椀体底１１を備える上開口有底の円筒で、上周縁に上周フランジ１７が設けられている。この椀体１は、上記鍔板状円板３１の短筒部３１ａを貫通し、円孔３１ｂの外周縁に上周フランジ１７が被さって取り付けられる。
【００１８】
椀体１の上周面には、対向する半周面１ａ、１ｂに、それぞれ矩形状の排水用窓孔１６、１６ａが開設され、椀体底１１には後述する排水抵抗抑制手段１２が配備してある。
【００１９】
シューター２は、上部が短尺な円筒部２３で、この円筒部２３に扁平な角筒部２１が連続する上下開口のラッパ状筒体である。
シューター２は、円筒部２３の嵌合用係止部２３ａが上記椀体１上周部の嵌着凹部１８に嵌着固定して、椀体１内に嵌合固定される。
【００２０】
この嵌合状態において、図４で示すように、シューター２の角筒部２１の平板状の両側面部２１ａ、２１ｂが、それぞれ上記排水用窓孔１６、１６ａに対応し、且つ角筒部２１の湾曲状端面部２１ｃ、２１ｄが椀体１の排水用窓孔１６、１６ａ間の周面に内接する。
さらに、この嵌合状態において、シューター２の下端部は後述する排水抵抗抑制手段１２の上げ底部１４、１４ａ上面高さと等しくほぼ接面する状態に設定してある。  
【００２１】
上記排水抵抗抑制手段１２は、図３で示すように椀体１のドーム状の椀体底１１の面内に、それぞれ食い違い位置に設けた二つの上げ底部１４、１４ａと、各上げ底部１４、１４ａに連続する下降傾斜曲面部１５、１５ａと、各下降傾斜曲面部１５、１５ａに連続する椀底部１３、１３ａとから成る。
【００２２】
上記２つの下降傾斜曲面部１５、１５ａは、それぞれ逆向きに下降傾斜する。この２つの互いに逆向きに下降傾斜する下降傾斜曲面部１５、１５ａは、前記シューター２の角筒部２１の下部開口面（矩形開口面）２２に対応位置している。
【００２３】
つまり、正面視（排水用窓孔１６を正面とした）手前側の上げ底部１４は、角筒部２１の手前側の平板状側面部２１ａの外側（手前）に位置し、下降傾斜曲面部１５に連続する椀底部１３は、奥側（対向する）の平板状側面部２１ｂの外側（奥側）に位置している。同様に、正面視奥側の上げ底部１４ａは、奥側の平板状側面部２１ｂの外側に位置し、下降傾斜曲面部１５ａに連続する椀底部１３ａは、手前側の平板状側面部２１ａの外側（手前側）に位置している。
【００２４】
上記角筒部２１の平板状側面部２１ａと椀体１の半周面（排水用窓孔１６側）１ａとの嵌合間に、椀底部１３ａと排水用窓孔１６に連通する第１の専用排水路Ａが設けられている。また、平板状側面部２１ｂと椀体１の半周面（排水用窓孔１６ａ側）１ｂとの嵌合間に、椀底部１３と排水用窓孔１６ａに連通する第２の専用排水路Ｂが設けられている。
【００２５】
前記シューター２に設けられた導水樋手段２４は、図５及び図６で示すように上記二つの排水用窓孔１６、１６ａに対応する位置、つまり角筒部（平板状側面部２１ａ、２１ｂ）２１と円筒部２３との接合部に配備してある。
【００２６】
この両導水樋手段２４、２４は、排水用窓孔１６（１６ａ）方向へ出っ張り状に湾曲面が張り出す溝状の樋で、竪樋部２４ａと横樋部２４ｂとから成り、竪樋部２４ａと横樋部２４ｂとはコーナー湾曲樋部２４ｃで連続している。
【００２７】
竪樋部２４ａは、排水用窓孔１６（１６ａ）の一端部に対応し、専用排水路Ａ（Ｂ）の幅が上方へ向けて狭くなるように、上方向へ向けて張り出し状に配備され、連続するコーナー湾曲樋部２４ｃを介して竪樋部２４ｂに連続している。
【００２８】
この横樋部２４ｂは、排水用窓孔１６（１６）の上辺に対応して設けられ、排水用窓孔１６（１６ａ）の他端側へ向けて上昇する勾配状に配備されている。
専用排水路Ａ（Ｂ）を上昇する分岐水流Ｍ１（Ｍ２）は、竪樋部２４ａとコーナー湾曲樋部２４ｃとで排水用窓孔１６（１６ａ）他端側へ片寄せされた状態で流れて横樋部２４ｂへ導かれ、且つ横樋部２４ｂの上昇勾配に沿って他端側へ舵取りするように設定されている。
【００２９】
このような構成を有する排水トラップでは、図４で示すように洗濯機などの排水ホースに接続されたエルボ３２を介して流水Ｍは、シューター２の角筒部２１に流入する。この流水Ｍは、下方に対向する二つの逆向きに下降傾斜する下降傾斜曲面部１５、１５ａに沿って分岐される。この際、垂直状に降下して来る流水Ｍは、下降傾斜曲面部１５、１５ａによって緩やかな角度で椀底部１３（１３ａ）へ受け流れされる。従って、椀体底１１との衝突衝撃が極めて小さく、排水抵抗の小さい二つの逆向きの分岐水Ｍ１、Ｍ２となる（図５、図６参照）。
【００３０】
逆向きの分岐水Ｍ１（下降傾斜曲部１５ａで受け流された分岐水Ｍ１）は、椀底部１３ａに沿って第１の専用排水路Ａを上昇し、排水用窓孔１６へ向けて上昇する。また、分岐水Ｍ２（下降傾斜曲面部１５で受け流された分岐水Ｍ２）は、椀底部１３に沿って第２の専用排水路Ｂを上昇し、排水用窓孔１６ａへ向けて上昇する。
【００３１】
専用排水路Ａ（Ｂ）を上昇する分岐水流Ｍ１（Ｍ２）は、排水用窓孔１６（１６ａ）対応位置まで上昇すると、竪樋部２４ａ及び前方へ張り出し状のコーナー湾曲樋部２４ｃに沿って他端部側へ片寄せされて導かれる。そして、他端部側へ上昇勾配をもつ横樋部２４ｂによってスムーズに分岐水流Ｍ１（Ｍ２）と時計廻り方向へ逃がし状に導水される。
【００３２】
従って、図７で示すように、分岐水Ｍ１（Ｍ２）はそれぞれ排水用窓孔１６（１６ａ）対応位置において、時計廻り方向へ逃がし状に導水され、排水管４の管内周面に沿って排出される結果、排水管４に対する衝撃圧が小さく、排水抵抗が少ないため、排水効率が一層向上する。
【図面の簡単な説明】
【００３３】
【図１】実施の形態の排水トラップを示す分離斜視図である。
【図２】実施の形態の排水トラップを示す斜視図である。
【図３】椀体底の排水抵抗抑制手段を示す要部断面の説明図である。
【図４】排水トラップを床面に据え付けた状態を示す断面図である。
【図５】椀体内で流水が分岐する状態を示す説明斜視図である。
【図６】分岐水が専用排水路を上昇する状態を示す説明側面図である。
【図７】分岐水が排水用窓孔から排水管へ排出される状態を示す説明平面図である。
【図８】従来の排水トラップを示す説明断面図である。
【符号の説明】
【００３４】
１      椀体
２      シューター
３      据付け本体
４      排水管
Ａ      第１の専用排水路
Ｂ      第２の専用排水路
Ｍ      流水
Ｍ１    分岐水
Ｍ２    分岐水
１１    椀体底
１２    排水抵抗抑制手段
１３    椀底部
１３ａ  椀底部
１４    上げ底部
１４ａ  上げ底部
１５    下降傾斜曲面部
１５ａ  下降傾斜曲面部
１６    排水用窓孔
１６ａ  排水用窓孔
２１    角筒部
２１ａ  平板状側面部  
２１ｂ  平板状側面部
２２    矩形開口端面
２３    円筒部
２４    導水樋手段
２４ａ  竪樋部
２４ｂ  横樋部
２４ｃ  コーナー湾曲樋部
３１    鍔板状円板
３２    エルボ
３３    カバー体
３４    固定用リング
【図１】
2011089343.tif 000003
【図２】
2011089343.tif 000004
【図３】
2011089343.tif 000005
【図４】
2011089343.tif 000006
【図５】
2011089343.tif 000007
【図６】
2011089343.tif 000008
【図７】
2011089343.tif 000009
【図８】
2011089343.tif 000010